(57)【要約】【課題】扉が開けられたことを、管理者に容易かつ精度良く知らせることのできる扉開閉報知装置を提供する。【解決手段】  報知制御部１４は、扉開閉検出部１１からの検出信号、操作スイッチ１３からの操作信号をもとに扉開閉報知部１２を制御する。報知制御部１４はさらに報知保持回路１５を有する。報知保持回路１５は扉開閉報知部１２の報知状態が「扉開」である以後、扉開閉検出部１１によって「扉閉」が検出されても扉開閉報知部１２の報知状態を「扉開」に保持し、以後、操作スイッチ１３が操作されるまでその報知状態を保持するように構成された回路である。【選択図】図１
2015026327.tif 000002
【特許請求の範囲】
【請求項１】
扉の開閉を検出する扉開閉検出部と、
扉が開閉の状態を報知する扉開閉報知部と、
人為的に操作可能な操作スイッチと、
少なくとも前記扉開閉検出部による前記扉の開閉の検出結果をもとに前記扉開閉報知部を制御する報知制御部とを具備し、
前記報知制御部は、前記扉開閉報知部の報知状態が「開」である状態から、前記扉開閉検出部によって前記扉が閉じられたことが検出されても前記操作スイッチが操作されるまで前記扉開閉報知部の報知状態を「開」に保持する報知保持回路を有する
扉開閉報知装置。
【請求項２】
請求項１に記載の扉開閉報知装置であって、
前記報知保持回路は、記扉開閉報知部の報知状態が「開」である状態から、前記扉開閉検出部によって前記扉が閉じられたことが検出されても前記操作スイッチが操作されるまで前記扉開閉報知部の報知状態を「開」に保持し、前記操作スイッチの操作に応じて、前記扉開閉報知部の報知状態を「閉」に切り替える
扉開閉報知装置。
【請求項３】
請求項１または２に記載の扉開閉報知装置であって、
前記扉開閉報知部が、前記扉の開閉の状態を２つの報知状態の相互の切り替えにより報知する
扉開閉報知装置。
【発明の詳細な説明】
【技術分野】
【０００１】
本発明は、扉の開閉を検出して、その結果を報知するための扉開閉報知装置に関する。
【背景技術】
【０００２】
独居老人など、コミュニティから孤立してしまっている状態の人の非常事態を未然に防ぐために、宅内（室内）での状態を、外部に知らせる手段に関しては近年、種々の提案がなされるようになってきている。宅内（室内）の状態を監視する方法として、扉の開閉を検出し、その開閉の状態を、管理者に報知する遠隔監視システムなどが提案されている。
【０００３】
例えば、特許文献１によれば、扉の開閉の状態を、扉の枠に取り付けられたマグネットと扉に設けられたリードスイッチにより検出し、検出された開閉状態を示す情報を、回線などを通じて外部の遠隔監視システムに転送する。遠隔監視システムでは、受信した開閉状態を示す情報をオペレータに表示する。
【先行技術文献】
【特許文献】
【０００４】
【特許文献１】特開平０９−２５６６９７号公報
【発明の概要】
【発明が解決しようとする課題】
【０００５】
多くの遠隔監視システムでは、扉の開閉状態をリアルタイムで監視できることから、例えば、扉が開いた状態が継続している場合を管理者が異常として判断することができる。しかしながら、例えば、本来扉が開かれるべきではない時間帯に扉が開かれたことを異常として検出したい場合には、上記の遠隔監視システムは不向きである。すなわち、扉の開閉状態をリアルタイムに報知するシステムでは、例えば、扉が開かれている間の報知状態に管理者が気づかないまま、その後扉が閉じられてしまった場合などに、扉が開かれたことの検出に失敗してしまう可能性がある。
【０００６】
以上のような事情に鑑み、本発明の目的は、扉が開けられたことを、管理者に容易かつ精度良く知らせることのできる扉開閉報知装置を提供することにある。
【課題を解決するための手段】
【０００７】
上記目的を達成するため、本発明の一形態に係る扉開閉報知装置は、扉の開閉を検出する扉開閉検出部と、扉が開閉の状態を報知する扉開閉報知部と、人為的に操作可能な操作スイッチと、少なくとも前記扉開閉検出部による前記扉の開閉の検出結果をもとに前記扉開閉報知部を制御する報知制御部とを具備し、前記報知制御部は、前記扉開閉報知部の報知状態が「開」である状態から、前記扉開閉検出部によって前記扉が閉じられたことが検出されても前記操作スイッチが操作されるまで前記扉開閉報知部の報知状態を「開」に保持する報知保持回路を有する。
【０００８】
本発明によれば、報知保持回路は、扉開閉報知部の報知状態が「開」である状態から、扉開閉検出部によって扉が閉じられたことが検出されても操作スイッチが操作されるまで扉開閉報知部の報知状態を「開」に保持するので、管理者は、扉が開かれたことを、その扉の現在の開閉状態に拘わらず正確に知ることができる。
【０００９】
前記報知保持回路は、記扉開閉報知部の報知状態が「開」である状態から、前記扉開閉検出部によって前記扉が閉じられたことが検出されても前記操作スイッチが操作されるまで前記扉開閉報知部の報知状態を「開」に保持し、前記操作スイッチの操作に応じて、前記扉開閉報知部の報知状態を「閉」に切り替えるものであってよい。
【００１０】
さらに、前記扉開閉報知部が、前記扉の開閉の状態を２つの報知状態の相互の切り替えにより報知するものであってよい。
すなわち、扉開閉報知部は２つの報知状態の相互の切り替えによって管理者に扉の開閉状態を報知するので、管理者は扉開閉報知部に視線を移動させるだけで、一目で扉の開閉状態を確認することができる。
【発明の効果】
【００１１】
本発明によれば、扉が開けられたことを、管理者に容易かつ精度良く知らせることができる。
【図面の簡単な説明】
【００１２】
【図１】本発明の一実施形態に係る扉開閉報知装置１の構成を示す図である。
【図２】実施例１に係る扉開閉報知装置１ａの構成を示す図である。
【図３】実施例１の扉開閉報知装置１ａの動作を示すタイミング図である。
【図４】図３の扉開閉報知装置１ａの動作を説明するための図である。
【図５】図４に続いて扉開閉報知装置１ａの動作を説明するための図である。
【図６】図５に続いて扉が閉じられたときの扉開閉報知装置１ａの動作を説明するための図である。
【図７】図６に続いて操作スイッチ１３ａが操作されたときの扉開閉報知装置１ａの動作を説明するための図である。
【図８】実施例２に係る扉開閉報知装置１ｂの具体的な構成を示す図である。
【図９】図８の扉開閉報知装置１ｂの動作を示すタイミング図である。
【図１０】実施例３の扉開閉報知装置１ｃの具体的な構成を示す図である。
【図１１】図１０の扉開閉報知装置１ｃの動作を示すタイミング図である。
【図１２】図１１に続いて扉開閉報知装置１ｃの動作を示すタイミング図である。
【図１３】図１２に続いて扉開閉報知装置１ｃの動作を示すタイミング図である。
【図１４】図１３に続いて扉開閉報知装置１ｃの動作を示すタイミング図である。
【図１５】図１４に続いて扉が閉じられたときの扉開閉報知装置１ｃの動作を示すタイミング図である。
【図１６】図１５に続いて操作スイッチ１３ｃが操作されたときの扉開閉報知装置１ｃの動作を示すタイミング図である。
【発明を実施するための形態】
【００１３】
以下、図面を参照しながら、本発明の実施形態を説明する。
図１は、本発明の一実施形態に係る扉開閉報知装置１の構成を示す図である。
同図に示すように、この扉開閉報知装置１は、扉開閉検出部１１と、扉開閉報知部１２と、操作スイッチ１３と、報知制御部１４とを備えて構成される。
【００１４】
扉開閉検出部１１は、監視対象である扉の開閉を検出するモジュールである。扉開閉検出部１１は、より具体的には、例えば、扉枠に取り付けられた磁石と、扉の電気錠に内蔵され、磁石の磁気を検出して扉の開閉状態を検知するリードスイッチとで構成される。扉開閉検出部１１は、上記の構成のほか、扉の開閉を何らかの物理量を基準に検知するようなものであってよい。
【００１５】
扉開閉報知部１２は、扉の開閉の状態を報知するモジュールである。扉開閉報知部１２は、扉開閉検出部１１によって扉の開閉状態をもとに、その開閉状態をリアルタイムにかつ２つの報知状態の切り替えによって報知する。扉開閉報知部１２は、例えば、ＬＥＤ（Light Emitting Diode）などの発光素子、電子ブザーなどの発声装置、表示素子、などの報知素子を用いて、扉の開閉の状態を視覚的、聴覚的に報知するものである。以降、扉が開いている状態を「扉開」、扉が閉じている状態を「扉閉」と呼ぶ。
【００１６】
なお、扉開閉報知部１２による２つの報知状態の切り替えとは、２つの報知素子において駆動させる報知素子を切り替えることの他、一つの報知素子の駆動のオン／オフを切り替えることなどを意味する。あるいは、一つの表示器において表示内容（色、文字など）を「扉開」と「扉閉」のそれぞれの状態に応じて切り替えることなども含む。このように、扉開閉報知部１２は２つの報知状態の切り替えによって管理者に扉の開閉状態を報知するので、管理者は扉開閉報知部１２に視線を移動させるだけで（一目で）、扉の開閉状態を確認することができる。
【００１７】
操作スイッチ１３は、管理者等によって人為的に操作されるためのものであり、例えば、押しボタン式、ダイアル式、トグル式など、人為的に操作可能なものであればよい。ここで、管理者とは、扉開閉報知装置１を扉の開閉を監視するサイドで利用するユーザのことである。
【００１８】
報知制御部１４は、扉開閉検出部１１からの検出信号、操作スイッチ１３からの操作信号をもとに扉開閉報知部１２を制御する。報知制御部１４は報知保持回路１５を有する。報知保持回路１５は、扉開閉報知部１２の報知状態が「扉開」である以後、扉開閉検出部１１によって「扉閉」が検出されても扉開閉報知部１２の報知状態を「扉開」に保持し、以後、操作スイッチ１３が操作されるまでその報知状態を保持するように構成された回路である。
【００１９】
なお、本実施形態の扉開閉報知装置１において、扉開閉検出部１１は、監視対象である扉に取り付けられ、扉開閉検出部１１以外の扉開閉報知部１２、操作スイッチ１３、報知制御部１４は、例えば、一つの筐体に組み込まれ、上記管理者の居る場所に設置される。したがって、管理者は扉開閉報知部１２の報知状態を確認することができる。
【００２０】
以下、本実施形態に係る扉開閉報知装置の実施例を説明する。
【００２１】
＜扉開閉報知装置の実施例１＞
図２は、実施例１に係る扉開閉報知装置１ａの構成を示す図である。
【００２２】
この扉開閉報知装置１ａにおいて、扉開閉報知部１２ａは、２つのＬＥＤ１２１、１２２と、各々のＬＥＤ１２１、１２２に流れる電流を制限する抵抗１２３、１２４と、ＬＥＤ１２１、１２２の発光のオン／オフを切り替える接点ｒ５と、発光させるＬＥＤ１２１、１２２を択一的に切り替えるための接点ｒ３とを有する。ここで、ＬＥＤ１２１は例えば橙色に発光する素子であり、このＬＥＤ１２１の発光中は基本的には扉が開状態であることを意味する。一方、ＬＥＤ１２２は例えば緑色に発光する素子であり、このＬＥＤ１２２の発光中は基本的には扉が閉状態であることを意味する。
【００２３】
報知制御部１４ａは、基準電圧（例えば０Ｖ）のラインと正電圧（例えば２４Ｖ）のラインとの間に扉開閉検出部１１であるリードスイッチＲＳａに対して直列に接続されたリレーＲ４を有する。リレーＲ４は、報知保持回路１５ａにおける２つの接点ｒ４−１、接点ｒ４−２の開閉を同時に切り替えるものである。
【００２４】
また、報知制御部１４ａは、第１の遅延回路ＤＬ１、リレーＲ１、リレーＲ３、接点ｒ４−１、接点ｒ４−２、および接点ｒ１で構成される報知保持回路１５ａを有する。リレーＲ１は接点ｒ１の開閉を切り替えるためのものであり、リレーＲ３は、扉開閉報知部１２ａにおける接点ｒ３の開閉を切り替えるためのものである。
【００２５】
さらに、報知制御部１４ａは、接点ｒ４−１および接点ｒ４−２の状態が確定してからＬＥＤ１２１、１２２の発光が有効となるように、ＬＥＤ１２１、１２２への通電タイミングを遅延することで電源投入直後のＬＥＤ１２１、１２２のちらつきを抑制するための第２の遅延回路ＤＬ２およびリレーＲ５を有する。リレーＲ５は接点ｒ５の開閉を切り替えるためのものである。
【００２６】
接点ｒ４−１、接点ｒ４−２、第１の遅延回路ＤＬ１、接点ｒ５は、基準電圧（例えば０Ｖ）のラインと正電圧（例えば２４Ｖ）のラインとの間に直列回路を構成するように接続されている。また、操作スイッチ１３ａ、リレーＲ３、接点ｒ１、接点ｒ５も、基準電圧（例えば０Ｖ）のラインと正電圧（例えば２４Ｖ）のラインとの間に直列回路を構成するように接続されている。
【００２７】
そして、一方の直列回路の接点ｒ４−２と第１の遅延回路ＤＬ１との接続ラインと、他方の直列回路の操作スイッチ１３とリレーＲ３との接続ラインとは互いに接続されている。さらには、一方の直列回路の接点ｒ４−１と第１の遅延回路ＤＬ１との接続ラインと、他方の直列回路のリレーＲ３と接点ｒ１との接続ラインも相互に接続されている。
【００２８】
次に、実施例１の扉開閉報知装置１ａの動作を説明する。
図３は、実施例１の扉開閉報知装置１ａの動作を示すタイミング図である。
なお、図２に示したように、接点ｒ１はＡ接点（リレー通電時は閉）、接点ｒ３はＣ接点（リレー通電時はＬＥＤ１２１側に対して閉）、接点ｒ４−１、接点ｒ４−２はＢ接点（リレー通電時は閉）、接点ｒ５はＡ接点（リレー通電時は閉）、操作スイッチ１３ａは初期状態において「閉」である。
【００２９】
扉開閉報知装置１ａに電源が投入されると、図４に示すように、第２の遅延回路ＤＬ２による遅延時間を置いてリレーＲ５が通電し、この結果、接点ｒ５が「閉」となる。接点ｒ５が「閉」になると、リレーＲ３が通電し、接点ｒ３が橙のＬＥＤ１２１側を選択することによって橙のＬＥＤ１２１のみが発光する。すなわち、電源の投入時に扉が開いていた場合には橙のＬＥＤ１２１のみが発光することで、扉の開閉状態は「扉開」であることが報知される。なお、リレーが通電するとは、リレーのコイルに電流が流れることを言う。
【００３０】
この後、図５に示すように、電源の投入から第１の遅延回路ＤＬ１の遅延時間を置いてリレーＲ１が通電し、接点ｒ１が「閉」となる。橙のＬＥＤ１２１の発光状態はそのまま継続する。
【００３１】
扉が閉じられると、図６に示すように、リードスイッチＲＳａが「閉」となり、リレーＲ４が通電する。この結果、接点ｒ４−１、接点ｒ４−２が「開」となるが、リレーＲ１およびリレーＲ３の通電状態はそのまま続くため、橙のＬＥＤ１２１の発光状態はそのまま継続する。
【００３２】
操作スイッチ１３ａが管理者によって操作されると、図７に示すように、操作スイッチ１３ａは「閉」から「開」に切り替わる。この時点で接点ｒ４−１、接点ｒ４−２は既に「開」となっているためリレーＲ３への通電はなくなり、接点ｒ３は緑のＬＥＤ１２２側に切り替わる。したがって、扉開閉報知部１２ａは橙のＬＥＤ１２１の発光状態から緑のＬＥＤ１２２の発光状態へと切り替わる。また、リレーＲ１への通電もなくなるため接点ｒ１が「開」となり、再度リードスイッチＲＳａが「開」となるまで橙のＬＥＤ１２１は点灯しない。
【００３３】
なお、仮に、リードスイッチＲＳａが「開」であるとき、操作スイッチ１３ａが「閉」から「開」に切り替えられても、接点ｒ４−１、接点ｒ４−２は「閉」となっているため、橙のＬＥＤ１２１の発光状態はそのまま変わらない。
【００３４】
また、電源が投入されたときにリードスイッチＲＳａが「閉」である場合には、リレーＲ３は通電されていないため、接点ｒ３は緑のＬＥＤ１２２側を選択している。このため、電源の投入と同時に緑のＬＥＤ１２２が発光される。
【００３５】
以上のように、実施例１の扉開閉報知装置１ａでは、扉開閉報知部１２ａの報知状態が「扉開」である状態から、扉が閉められも扉開閉報知部１２ａの報知状態は「扉開」に保持され、その後、操作スイッチ１３ａが操作されるまでその報知状態が保持される。これにより、扉が開かれたことを、管理者に確実に知らせることができる。すなわち、扉が開かれている間の報知状態に管理者が気づかず、その後扉が閉じられてしまった場合であっても、管理者は扉が開かれたことを知ることができる。
【００３６】
＜扉開閉報知装置の実施例２＞
次に、実施例２の扉開閉報知装置１ｂの具体的な構成および動作を説明する。
【００３７】
図８は、実施例２に係る扉開閉報知装置１ｂの具体的な構成を示す図である。
なお、実施例２は実施例１の変形であり、実施例２に対する相違点のみを説明することとする。したがって、図８において、実施例１と同一の部分には同一の符号を付けてある。
【００３８】
上記の実施例１の扉開閉報知装置１ａでは、接点ｒ５に、ＬＥＤ１２１またはＬＥＤ１２２と２つのリレーＲ１、Ｒ３を通過した電流が同時に流れる。これに対して、実施例２の扉開閉報知装置１ｂでは、正電圧（例えば２４Ｖ）のラインと基準電圧（例えば０Ｖ）のラインとの間に、接点ｒ４−１、接点ｒ４−２、第１の遅延回路ＤＬ１が直列に接続され、また、操作スイッチ１３、リレーＲ３、接点ｒ１も直列に接続されている。このため、接点ｒ５を流れる電流は、ＬＥＤ１２１またはＬＥＤ１２２を通過した電流のみになる。したがって、接点ｒ５として、通せる電流最大値のより低い、小型かつ安価なものを使用することができる。
【００３９】
図９は、実施例２の扉開閉報知装置１ｂの動作を示すタイミング図である。
実施例２の扉開閉報知装置１ｂでは、リレーＲ３が電源の投入と同時に通電するが、接点Ｒ５は第２の遅延回路ＤＬ２の遅延時間を置いて「閉」となるため、電源の投入から当該遅延時間が経過した後発光する点は、実施例１の扉開閉報知装置１ａと同様である。また、以降の動作も、実施例１の扉開閉報知装置１ａと同様である。
【００４０】
＜扉開閉報知装置の実施例３＞
次に、実施例３の扉開閉報知装置１ｃの構成および動作を説明する。
【００４１】
図１０は、実施例３の扉開閉報知装置１ｃの具体的な構成を示す図である。
この扉開閉報知装置１ｃにおいて、扉開閉報知部１２ｃは、報知素子として電子ブザー１２５を用いたものである。この電子ブザー１２５の鳴動のオン／オフはスイッチＳ１によって切り替えられる。スイッチＳ１のオン／オフは、報知保持回路１４ｃのリレーＲ１６の通電のオン／オフに対応して切り替えられるようになっている。そして基本的には、電子ブザー１２５の鳴動中は扉が開状態であることを意味し、非鳴動中は扉が閉状態であることを意味する。
【００４２】
報知制御部１４ｃは、基準電圧（例えば０Ｖ）のラインと正電圧（例えば２４Ｖ）のラインとの間に扉開閉検出部１１であるリードスイッチＲＳｃに対して直列に接続されたリレーＲ１３を有する。リレーＲ１３は、報知保持回路１５ｃにおける接点ｒ１３の開閉を切り替えるものである。
【００４３】
また、報知制御部１４ｃにおいて、第１の遅延回路ＤＬ１１、リレーＲ１１、リレーＲ１２、リレーＲ１４、リレーＲ１６、接点ｒ１１、接点ｒ１２、接点ｒ１３、接点ｒ１４、接点ｒ１５、接点ｒ１６は報知保持回路１５ｃを構成する電子部品である。リレーＲ１１は接点ｒ１１の開閉を切り替える。リレーＲ１２は接点ｒ１２の開閉を切り替える。リレーＲ１４は接点ｒ１４の開閉を切り替える。リレーＲ１６は接点ｒ１６の開閉を切り替える。
【００４４】
さらに、報知制御部１４ｃは、第２の遅延回路ＤＬ１２およびリレーＲ１５を有する。リレーＲ１５は接点ｒ１５の開閉を切り替えるものである。
【００４５】
次に、実施例３の扉開閉報知装置１ｃの動作を説明する。
図１１は、実施例３の扉開閉報知装置１ｃの動作を示すタイミング図である。
なお、図１０に示したように、接点ｒ１１および接点ｒ１３はＢ接点（リレー通電時は開）、接点ｒ１３、接点ｒ１４、接点ｒ１５、接点ｒ１６はＡ接点（リレー通電時は閉）、操作スイッチ１３ｃは初期状態において「閉」である。
【００４６】
扉開閉報知装置１ｃに電源が投入されると、図１２に示すように、第２の遅延回路ＤＬ１２による遅延時間を置いてリレーＲ１５が通電し、この結果、接点ｒ１５が「閉」となる。接点ｒ１５が「閉」になると、リレーＲ１２が通電し、接点ｒ１２が「閉」となり、リレーＲ１４が通電し、接点ｒ１４が「閉」となる。接点ｒ１２が「閉」となることでリレーＲ１６が通電し、接点ｒ１６が「閉」となる。
【００４７】
また、リレーＲ１６が通電し、接点ｒ１６が「閉」となった事象に対応して、図１３に示すように、扉開閉報知部１２ｃのスイッチＳ１が「閉」となり、電子ブザー１２５が鳴動する。すなわち、電源の投入時に扉が開いていた場合には電子ブザー１２５が鳴動する。
【００４８】
この後、図１４に示すように、第１の遅延回路ＤＬ１１の遅延時間を置いてリレーＲ１１が通電し、接点ｒ１１が「開」となり、リレーＲ１４への通電がなくなることによって接点ｒ１４が「開」となるが、リレーＲ１６への通電状態は続くため、電子ブザー１２５の鳴動はそのまま継続される。
【００４９】
図１５に示すように、扉が閉じられると、扉開閉検出部１１ｃが「閉」となり、リレーＲ１３が通電する。この結果、接点ｒ１３が「開」となってリレーＲ１１およびリレーＲ１２への通電がなくなるが、接点ｒ１１が「閉」、接点ｒ１２「開」にそれぞれ切り替わるだけで、リレーＲ１６の通電状態は継続される。したがって、電子ブザー１２５の鳴動はそのまま継続される。
【００５０】
図１６に示すように、操作スイッチ１３ｃが管理者によって操作されると、操作スイッチ１３ｃは「閉」から「開」に切り替わる。するとリレーＲ１６が通電しなくなり、接点ｒ１６が「開」になる。この事象に対応して扉開閉報知部１２ｃのスイッチＳ１が「開」となり、電子ブザー１２５が鳴動が停止する。
【００５１】
以上、実施例３の扉開閉報知装置１ｃでは、扉開閉報知部１２ｃの電子ブザー１２５の鳴動による報知状態が「扉開」である状態から、扉が閉められも扉開閉報知部１２ｃの報知内容は「扉開」に保持され、その後も操作スイッチ１３ｃが操作されるまで保持される。これにより、扉が開かれたことを、管理者に確実に知らせることができる。すなわち、扉が開かれている間の報知状態に管理者が気づかず、その後扉が閉じられてしまった場合であっても、管理者は扉が開かれたことを知ることができる。
【００５２】
そして管理者によって操作スイッチ１３ｃが操作されると、扉開閉報知部１２ｃの電子ブザー１２５の鳴動が停止する。すなわち、扉が閉められていることを示す報知状態に切り替わる。
【００５３】
その他、本発明は、上述の実施形態にのみ限定されるものではなく、本発明の要旨を逸脱しない範囲内において種々変更を加え得ることは勿論である。
【符号の説明】
【００５４】
１…扉開閉報知装置
１１…扉開閉検出部
１２…扉開閉報知部
１３…操作スイッチ
１４…報知制御部
１５…報知保持回路
【図１】
2015026327.tif 000003
【図２】
2015026327.tif 000004
【図３】
2015026327.tif 000005
【図４】
2015026327.tif 000006
【図５】
2015026327.tif 000007
【図６】
2015026327.tif 000008
【図７】
2015026327.tif 000009
【図８】
2015026327.tif 000010
【図９】
2015026327.tif 000011
【図１０】
2015026327.tif 000012
【図１１】
2015026327.tif 000013
【図１２】
2015026327.tif 000014
【図１３】
2015026327.tif 000015
【図１４】
2015026327.tif 000016
【図１５】
2015026327.tif 000017
【図１６】
2015026327.tif 000018